(57)【特許請求の範囲】
【請求項１】
ディジタル放送を受信する共用アンテナと、
上記共用アンテナで受信されたディジタル放送の受信信号を入力し、上記ディジタル放送の受信信号の周波数を必要に応じて変更し、伝送路を介して再送信する再送信設備と、
上記伝送路を介して送られてきた信号を受信して再生する各家庭の受信設備とからなるディジタル放送の送受信システムにおいて、
上記ディジタル放送の受信信号中には、各チャンネルの周波数を示す情報が含まれており、
上記受信装置には、上記受信信号中に含まれている上記各チャンネルの周波数を示す情報と、上記伝送路を介して送られてくる信号の周波数との対応関係を示す変換テーブルが設けられ、
上記受信装置で所望のチャンネルの信号を受信する際に、
所望のチャンネルの番組が送られているチャンネルの周波数を上記受信信号中に含まれている上記各チャンネルの周波数を示す情報から抽出し、
上記受信信号中に含まれている上記各チャンネルの周波数を示す情報から得られる周波数を上記変換テーブルに基づいて上記伝送路を介して送られてくる信号の周波数に変換し、
受信周波数を上記変換された周波数に設定する
ようにした送受信システム。
【請求項２】
ディジタル放送を共用アンテナで受信し、
上記共用アンテナで受信されたディジタル放送の受信信号を入力し、上記ディジタル放送の受信信号の周波数を必要に応じて変更し、伝送路を介して再送信し、
上記伝送路を介して送られてきた信号を各家庭の受信設備で受信して再生するようにしたディジタル放送の送受信方法において、
上記ディジタル放送の受信信号中には、各チャンネルの周波数を示す情報が含まれており、
上記受信信号中に含まれている上記各チャンネルの周波数を示す情報と、上記伝送路を介して送られてくる信号の周波数との対応関係を示す変換テーブルを上記受信装置に設け、
上記受信装置で所望のチャンネルの信号を受信する際に、
所望のチャンネルの番組が送られているチャンネルの周波数を上記受信信号中に含まれている上記各チャンネルの周波数を示す情報から抽出し、
上記受信信号中に含まれている上記各チャンネルの周波数を示す情報から得られる周波数を上記変換テーブルに基づいて上記伝送路を介して送られてくる信号の周波数に変換し、
受信周波数を上記変換された周波数に設定する
ようにした送受信方法。
【請求項３】
共用アンテナで受信され、必要に応じて周波数が変更され、伝送路を介して送られてきたディジタル放送の信号を受信する受信装置において、
上記ディジタル放送の受信信号中には、各チャンネルの周波数を示す情報が含まれており、
上記受信信号中に含まれている上記各チャンネルの周波数を示す情報と、上記伝送路を介して送られてくる信号の周波数との対応関係を示す変換テーブルを備え、
所望のチャンネルの信号を受信する際に、
所望のチャンネルの番組が送られているチャンネルの周波数を上記受信信号中に含まれている上記各チャンネルの周波数を示す情報から抽出し、
上記受信信号中に含まれている上記各チャンネルの周波数を示す情報から得られる周波数を上記変換テーブルに基づいて上記伝送路を介して送られてくる信号の周波数に変換し、
受信周波数を上記変換された周波数に設定する
ようにした受信装置。
【請求項４】
共用アンテナで受信され、必要に応じて周波数が変更され、伝送路を介して送られてきたディジタル放送の信号を受信する受信方法において、
上記ディジタル放送の受信信号中には、各チャンネルの周波数を示す情報が含まれており、
上記受信信号中に含まれている上記各チャンネルの周波数を示す情報と、上記伝送路を介して送られてくる信号の周波数との対応関係を示す変換テーブルを作成し、
所望のチャンネルの信号を受信する際に、
所望のチャンネルの番組が送られているチャンネルの周波数を上記受信信号中に含まれている上記各チャンネルの周波数を示す情報から抽出し、
上記受信信号中に含まれている上記各チャンネルの周波数を示す情報から得られる周波数を上記変換テーブルに基づいて上記伝送路を介して送られてくる信号の周波数に変換し、
受信周波数を上記変換された周波数に設定する
ようにした受信方法。
【発明の詳細な説明】
【０００１】
【発明の属する技術分野】
この発明は、マンションのような集合住宅に設置される共聴施設や、小規模ＣＡＴＶ（Cable Television）システムのように、共同のアンテナで受信したディジタル地上波放送の信号を、伝送路を使って各家庭に映像を配信するようなシステムに用いて好適な送受信システム及び方法並びに受信装置及び方法に関する。
【０００２】
【従来の技術】
ディジタル地上波放送の開発が進められている。ディジタル地上波放送では、ビデオ信号は例えばＭＰＥＧ（Moving Picture Coding Experts Group ）２方式で圧縮され、ＯＦＤＭ（Orthogonal Frequency Division Multiplex ）で変調されて送信される。ＯＦＤＭは、互いに直交する複数の搬送波を用いるものであり、ゴーストの原因となるマルチパスに強い変調方式である。ディジタル地上波放送の使用周波数としては、現行のアナログ地上波放送との関係から、現行のＵＨＦ放送の低い方の周波数を使うことが検討されている。
【０００３】
このようなディジタル地上波放送を受信する場合、通常、ＮＩＴ（Network Information Table ）が取得される。このＮＩＴのテーブルにより、周波数情報が得られ、受信周波数が所望の周波数に設定され、それから、ＰＡＴ（Program Association Table ）が参照され、ＰＡＴの情報から、その搬送波内のチャンネルのパケット識別子（ＰＩＤ）のビデオパケット及びオーディオパケットが取り出され、所望のチャンネルが受信される。
【０００４】
【発明が解決しようとする課題】
このように、ディジタル地上波放送では、このＮＩＴを参照することで、所望のチャンネルの周波数に受信周波数を設定できる。ディジタル地上波放送を直接受信して再生する限りにおいては、ＮＩＴの情報をそのまま利用して受信周波数を設定できる。
【０００５】
ところが、マンションのような共同住宅では、共聴アンテナで受信された信号をケーブルにより各家庭に伝送するような共聴システムが使われており、このような共聴システムでは、空きチャンネルや伝送容量等の都合により、放送で使われているチャンネルとは異なる周波数のチャンネルに変更されて再送信されることが考えられる。このようにチャンネルの周波数が変更されると、ＮＩＴで示される周波数情報と、ケーブルを介して実際に伝送される信号の周波数とが一致しなくなり、受信動作が行えなくなる。このため、共聴システムの再送信設備で、変更されたチャンネルの周波数に応じて、ＮＩＴを書き換える必要があると考えられる。
【０００６】
ところが、ＮＩＴの情報を書き換えるためには、共聴システムの再送信設備側で周波数を変換する際に、受信信号を復調し、ＮＩＴの情報を書き換え、再び、変調して、所望の周波数に変換して、再送信しなければならなくなる。特に、ディジタル地上波放送では、変調方式としてＯＦＤＭが採用されている。ＯＦＤＭの復調や変調処理には、複雑な処理が伴う。
【０００７】
また、再送信する場合に、ＯＦＤＭ変調を用いずに、現行のディジタルＣＡＴＶで用いられている例えば６４値ＱＡＭ（Quadrature Amplitude Modulation ）を用いることが考えられる。しかしながら、再送信する際に、ＯＦＤＭから６４値ＱＡＭに変調方式を変更すると、処理が複雑化すると共に、伝送されてきた信号を受信する際に、通常のディジタル地上波放送の受信機が使えなくなり、専用の受信機が必要になってくる。
【０００８】
したがって、この発明の目的は、共聴システムで、周波数を変更して再送信する際に、ＮＩＴの情報を書き換えることなく、共用アンテナで受信されたディジタル地上波放送の信号を伝送路を介して再送信することができる送受信システム及び方法並びに受信装置及び方法を提供することにある。
【０００９】
この発明の他の目的は、専用の受信機が不要で、多大な設備投資を伴わず、共用アンテナで受信されたディジタル地上波放送の信号を伝送路を介して再送信することができる送受信システム及び方法並びに受信装置及び方法を提供することにある。
【００１０】
【課題を解決するための手段】
この発明は、ディジタル放送を受信する共用アンテナと、
共用アンテナで受信されたディジタル放送の受信信号を入力し、ディジタル放送の受信信号の周波数を必要に応じて変更し、伝送路を介して再送信する再送信設備と、
伝送路を介して送られてきた信号を受信して再生する各家庭の受信設備とからなるディジタル放送の送受信システムにおいて、
ディジタル放送の受信信号中には、各チャンネルの周波数を示す情報が含まれており、
受信装置には、受信信号中に含まれている各チャンネルの周波数を示す情報と、伝送路を介して送られてくる信号の周波数との対応関係を示す変換テーブルが設けられ、
受信装置で所望のチャンネルの信号を受信する際に、
所望のチャンネルの番組が送られているチャンネルの周波数を受信信号中に含まれている各チャンネルの周波数を示す情報から抽出し、
受信信号中に含まれている各チャンネルの周波数を示す情報から得られる周波数を変換テーブルに基づいて伝送路を介して送られてくる信号の周波数に変換し、
受信周波数を変換された周波数に設定する
ようにした送受信システムである。
【００１１】
この発明は、ディジタル放送を共用アンテナで受信し、
共用アンテナで受信されたディジタル放送の受信信号を入力し、ディジタル放送の受信信号の周波数を必要に応じて変更し、伝送路を介して再送信し、
伝送路を介して送られてきた信号を各家庭の受信設備で受信して再生するようにしたディジタル放送の送受信方法において、
ディジタル放送の受信信号中には、各チャンネルの周波数を示す情報が含まれており、
受信信号中に含まれている各チャンネルの周波数を示す情報と、伝送路を介して送られてくる信号の周波数との対応関係を示す変換テーブルを受信装置に設け、
受信装置で所望のチャンネルの信号を受信する際に、
所望のチャンネルの番組が送られているチャンネルの周波数を受信信号中に含まれている各チャンネルの周波数を示す情報から抽出し、
受信信号中に含まれている各チャンネルの周波数を示す情報から得られる周波数を変換テーブルに基づいて伝送路を介して送られてくる信号の周波数に変換し、
受信周波数を変換された周波数に設定する
ようにした送受信方法である。
【００１２】
この発明は、共用アンテナで受信され、必要に応じて周波数が変更され、伝送路を介して送られてきたディジタル放送の信号を受信する受信装置において、
ディジタル放送の受信信号中には、各チャンネルの周波数を示す情報が含まれており、
受信信号中に含まれている各チャンネルの周波数を示す情報と、伝送路を介して送られてくる信号の周波数との対応関係を示す変換テーブルを備え、
所望のチャンネルの信号を受信する際に、
所望のチャンネルの番組が送られているチャンネルの周波数を受信信号中に含まれている各チャンネルの周波数を示す情報から抽出し、
受信信号中に含まれている各チャンネルの周波数を示す情報から得られる周波数を変換テーブルに基づいて伝送路を介して送られてくる信号の周波数に変換し、
受信周波数を変換された周波数に設定する
ようにした受信装置である。
【００１３】
この発明は、共用アンテナで受信され、必要に応じて周波数が変更され、伝送路を介して送られてきたディジタル放送の信号を受信する受信方法において、
ディジタル放送の受信信号中には、各チャンネルの周波数を示す情報が含まれており、
受信信号中に含まれている各チャンネルの周波数を示す情報と、伝送路を介して送られてくる信号の周波数との対応関係を示す変換テーブルを作成し、
所望のチャンネルの信号を受信する際に、
所望のチャンネルの番組が送られているチャンネルの周波数を受信信号中に含まれている各チャンネルの周波数を示す情報から抽出し、
受信信号中に含まれている各チャンネルの周波数を示す情報から得られる周波数を変換テーブルに基づいて伝送路を介して送られてくる信号の周波数に変換し、
受信周波数を変換された周波数に設定する
ようにした受信方法である。
【００１４】
地上波ディジタル放送の信号は、再送信設備で、周波数のみ必要に応じて変換されて、伝送路を介して、各家庭の受信設備に送られる。各家庭の受信機には、ＮＩＴの周波数と伝送路を介して送られてくる信号の周波数との対応関係を示す変換テーブルが設けられる。この変換テーブルに基づいて、受信周波数が設定される。
【００１５】
【発明の実施の形態】
以下、この発明の実施の形態について図面を参照して説明する。この発明は、マンションのような集合住宅に設置される共聴施設や、小規模ＣＡＴＶシステムのように、共同のアンテナで受信したディジタル地上波放送の信号を、伝送路を使って各家庭に映像を配信するようなシステムに用いられる。
【００１６】
図１は、この発明が適用された受信システムの一例を示すものである。図１において、ディジタル地上波放送の信号がアンテナ１で受信される。アンテナ１の受信出力が再送信設備２に供給される。
【００１７】
再送信設備２は、アンテナ１で受信したディジタル地上波放送の各チャンネルの受信信号を、ＣＡＴＶ用の各周波数チャンネルで伝送するために、必要に応じて周波数変換を行うものである。
【００１８】
ディジタル地上波放送では、ビデオ信号は例えばＭＰＥＧ２方式で圧縮され、ＯＦＤＭで変調されて送信される。ディジタル地上波放送の使用周波数としては、現行のアナログ地上波放送との関係から、現行のＵＨＦ放送の低い方の周波数を使うことが検討されている。ＣＡＴＶ用の周波数として、ＶＨＦのミッドバンドの帯域（１０８ＭＨｚ〜１７０ＭＨｚ）、スーパーハイバンドの帯域（２２２ＭＨｚ〜４７０ＭＨｚ）が主に利用されている。
【００１９】
再送信設備２は、チューナ回路２２Ａ、２２Ｂ、２２Ｃ、... と、周波数変換回路２３Ａ、２３Ｂ、２３Ｃ、... と、混合回路２４を備えている。アンテナ１の受信出力がチューナ回路２２Ａ、２２Ｂ、２２Ｃ、... に供給される。各チューナ回路２２Ａ、２２Ｂ、２２Ｃ、... で、アンテナ１からの受信信号の中から、各チャンネルの周波数の受信信号が選択される。チューナ回路２２Ａ、２２Ｂ、２２Ｃ、... の出力が周波数変換回路２３Ａ、２３Ｂ、２３Ｃ、... に供給される。周波数変換回路２３Ａ、２３Ｂ、２３Ｃ、... で、ディジタル地上波放送の各チャンネルの受信信号の周波数が必要に応じて変換される。周波数変換回路２３Ａ、２３Ｂ、２３Ｃ、... の出力が混合回路２４に供給される。混合回路２４で、周波数変換回路２３Ａ、２３Ｂ、２３Ｃ、... の出力が合成される。
【００２０】
再送信設備２の混合回路２４からは、伝送路３が導出される。再送信設備２で周波数変換された信号は、伝送路３を介して、各家庭の受信設備４Ａ、４Ｂ、４Ｃ、... に供給される。
【００２１】
各家庭の受信設備４Ａ、４Ｂ、４Ｃ、... は、受信装置３１Ａ、３１Ｂ、３１Ｃ、... と、受像機３２Ａ、３２Ｂ、３２Ｃ、... とを備えている。伝送路３を介して送られてきた信号は、各家庭の受信設備４Ａ、４Ｂ、４Ｃ、... の受信装置３１Ａ、３１Ｂ、３１Ｃ、... でデコードされる。この受信装置３１Ａ、３１Ｂ、３１Ｃ、... の出力が受像機３２Ａ、３２Ｂ、３２Ｃ、... に供給される。受像機３２Ａ、３２Ｂ、３２Ｃ、... で、受信装置３１Ａ、３１Ｂ、３１Ｃ、... でデコードされた映像信号に基づく画面が再生される。
【００２２】
なお、受信装置３１Ａ、３１Ｂ、３１Ｃ、... と受像機３２Ａ、３２Ｂ、３２Ｃ、... とを一体化し、ディジタル地上波放送受信可能なテレビジョン受像機の形態としても良いし、受信装置３１Ａ、３１Ｂ、３１Ｃ、... をディジタル地上波放送受信用のセットトップボックスの構成として、テレビジョン受像機の構成の受像機３２Ａ、３２Ｂ、３２Ｃ、... にセットトップボックスの構成の受信装置３１Ａ、３１Ｂ、３１Ｃ、... を接続した形態とするようにしても良い。
【００２３】
このように、この発明が適用されたシステムでは、再送信設備２により、アンテナ１で受信されたディジタル地上波放送の各チャンネルの受信信号の周波数がＣＡＴＶ用の各チャンネルの周波数に変換される。そして、この信号は、伝送路３を介して、各家庭の受信設備４Ａ、４Ｂ、４Ｃ、... に伝送される。
【００２４】
再送信設備２では、周波数の変換を行っているが、ＮＩＴの書き換え等は行っていない。このため、ＮＩＴで示される各チャンネルの周波数情報と、伝送路３を介して送られてくる各チャンネルの実際の周波数とが一致しなくなることがある。
【００２５】
通常の地上波ディジタル放送では、ＮＩＴを取得し、このＮＩＴのテーブルにより、周波数情報が得られ、受信周波数が所望の周波数に設定され、それから、ＰＡＴが参照され、ＰＡＴの情報から、その搬送波内のチャンネルのＰＩＤのビデオパケット及びオーディオパケットが取り出され、所望のチャンネルが受信される。このため、ＮＩＴで示される各チャンネルの周波数情報と、伝送路３を介して送られてくる実際の周波数（以下、伝送チャンネルの周波数とする）とが一致しなくなる。このため、所望のチャンネルの周波数に設定できなくなる。
【００２６】
そこで、この発明では、各家庭の受信設備４Ａ、４Ｂ、４Ｃ、... 中の受信装置３１Ａ、３１Ｂ、３１Ｃ、... に、ＮＩＴで示される周波数情報と、伝送チャンネルの周波数との対応関係を示す周波数変換テーブルが設けられる。
【００２７】
この周波数変換テーブルは、例えば受信設備の初期設定時に、受信装置３１Ａ、３１Ｂ、３１Ｃ、... を周波数サーチモードに設定して作成される。
【００２８】
すなわち、受信装置３１Ａ、３１Ｂ、３１Ｃ、... では、初期設定時に、放送が行われているチャンネルをサーチするために、周波数のサーチモードに設定される。この周波数サーチモードに設定されるときに、ＮＩＴが取得され、ＮＩＴで示される周波数情報と、そのとき設定されている周波数情報の関係から、ＮＩＴの周波数情報と伝送チャンネルの周波数との対応関係を示す周波数変換テーブルが作成される。これにより、再送信設備２で、ＮＩＴの書き換えを行うことなく、各家庭の受信設備４Ａ、４Ｂ、４Ｃ、... 中の受信装置３１Ａ、３１Ｂ、３１Ｃ、... では、所望のチャンネルの受信周波数に設定することが可能となる。
【００２９】
図２は、各家庭の受信設備４Ａ、４Ｂ、４Ｃ、... における受信装置３１Ａ、３１Ｂ、３１Ｃ、... の構成を示すものである。この受信装置３１Ａ、３１Ｂ、３１Ｃ、... は、上述のように、ＮＩＴで示される周波数情報と、伝送チャンネルの周波数との対応関係が書き込まれている周波数変換テーブルが備えられる。それ以外の構成については、通常のディジタル地上波放送の受信機と、基本的には同様に構成されている。
【００３０】
図２において、入力端子５０からの信号は、フロントエンド部５１に供給される。フロントエンド部５１は、チューナ回路５２と、ＯＦＤＭ復調回路５３と、ＥＣＣデコーダ５４とから構成される。
【００３１】
入力端子５０からの信号は、フロンドエンド部５１のチューナ回路５２に供給され、チューナ回路５２により、伝送路３を介して送られてきた信号の中から、所望の周波数の信号が選択される。このチューナ回路５２の出力がＯＦＤＭ復調回路５３に供給される。ＯＦＤＭ復調回路５３により、ＯＦＤＭの復調処理が行われる。ＯＦＤＭ復調回路５３の出力がＥＣＣデコーダ５４に供給される。ＥＣＣデコーダ５４により、リード・ソロモン符号によりエラー訂正処理が行われる。
【００３２】
ＥＣＣデコーダ５４の出力がデスクランブラ５６に供給される。デスクランブラ５６には、ＩＣカードスロット５７に装着されているＩＣカード５８に記憶されているデスクランブル用の鍵データが供給される。デスクランブラ５６は、このＩＣカード５８の鍵データを用いて、ＭＰＥＧトランスポートストリームのデスクランブルを行なう。デスクランブルされたＭＰＥＧ２のトランスポートストリームは、デマルチプレクサ６０に送られる。
【００３３】
デマルチプレクサ６０は、コントローラ６１からの指令に基づいて、デスクランブラ５６からのストリームの中から、所望のパケットを分離するものである。伝送パケットには、ヘッダ部にパケット識別子（ＰＩＤ）が記述されている。デマルチプレクサ６０では、このＰＩＤに基づいて、所望のプログラムの映像パケット及び音声パケット、ＰＳＩ（Program Specific Information）が抽出される。この所望のプログラムの映像パケットは、ビデオ処理回路６２に送られ、音声パケットは、オーディオ処理回路６３に送られる。ＰＳＩは、コントローラ６１に送られる。
【００３４】
ビデオ処理回路６２は、デマルチプレクサ６０からの映像信号のパケットを受け取り、ＭＰＥＧ２方式のデコード処理を行なって、ビデオ信号を形成する。このビデオ信号は、加算回路６４に供給される。加算回路６４には、ＯＳＤ回路６５から、オンスクリーン表示信号が供給される。このオンスクリーン表示信号は、コントローラ６１からの信号に基づいて発生される。加算回路６４の出力が映像出力端子６６から出力される。
【００３５】
オーディオ処理回路６３は、デマルチプレクサ６０からの音声パケットを受け取り、ＭＰＥＧ方式の音声デコード処理を行なって、オーディオ信号を形成する。オーディオ処理回路６３の出力は、音声出力端子６７から出力される。
【００３６】
受信装置３１を操作するための入力は、入力キー７１により行われ、入力キー７１からの入力がコントローラ６１に供給される。また、リモートコントローラ（図示せず）からの赤外線信号が受光部７３で受光され、この信号がコントローラ６１に供給される。また、コントローラ６１の出力が表示部７２に供給され、各種の設定状態が表示部７２に表示される。また、コントローラ６１は、モデム７４により、電話回線に接続可能とされている。
【００３７】
更に、コントローラ６１に対して、ＥＥＰＲＯＭ（Electrically Erasable and Programmable Read Only Memory ）７５、ＳＲＡＭ（Static Random Access Memory ）７６、ＲＯＭ（Read Only Memory）７７が設けられる。ＳＲＡＭ７６には、ＮＩＴ（Network Information Table ）で示される周波数情報と、伝送チャンネルの周波数との対応関係を示す周波数変換テーブルが作成される。チューナ回路５２で受信周波数を設定する場合には、この周波数変換テーブルが参照される。
【００３８】
このように、この発明が適用された受信装置３１Ａ、３１Ｂ、３１Ｃ、... では、ＮＩＴで示される周波数情報と、伝送チャンネルの周波数との対応関係を示す周波数変換テーブルが用いられる。このことについて、以下に詳述する。
【００３９】
図３は、ディジタル地上波放送で送られるＮＩＴのテーブルの一例である。このＮＩＴのテーブルに含まれる重要な情報としては、地上波分配記述子と、サービスリスト記述子がある。
【００４０】
図４Ａは、地上波分配記述子を示すものである。地上波分配記述子には、デスクリプタタグ（descriptor＿tag ）と、デスクリプタレングス（descriptor＿length）と、エリアコード（area＿code）と、ガードインターバル（guard ＿interval）と、トランスミッションモード（transmission＿mode）が含まれていると共に、周波数（frequency ）が記述されている。ガードインターバル（guard ＿interval）は、図５Ｂに示すように定義されている。また、トランスミッションモード（transmission＿mode）は、図５Ｃに示すように、定義されている。
【００４１】
図４Ｂは、サービスリストを示すものである。サービスリストには、デスクリプタタグ（descriptor＿tag ）と、デスクリプタレングス（descriptor＿length）と、サービスＩＤ（service ＿id）と、サービスタイプ（service ＿type）が記述されている。サービスタイプ（service ＿type）は、図５Ａに示すように定義されている。
【００４２】
このＮＩＴのテーブルの情報の中で重要なものは、周波数（frequency ）である（図４）。この周波数（frequency ）は、地上波ディジタル放送の信号が伝送されるチャンネル（物理的な伝送周波数）の中心周波数を示している。
【００４３】
通常、所望のチャンネルの放送を受信する際には、先ず、ＮＩＴのテーブルが取得され、このＮＩＴのテーブルにより、周波数（frequency ）が得られ、受信周波数が所望の周波数に設定される。それから、ＰＡＴのパケットが参照される。ＰＡＴには、それぞれの周波数内のチャンネル情報と、各チャンネルの中身を示すＰＭＴのＰＩＤが記述されている。このＰＡＴの情報から、その搬送波内のチャンネルのＰＩＤのビデオパケット及びオーディオパケットが取り出され、所望のチャンネルが受信される。
【００４４】
このように、通常では、ＮＩＴのテーブルを取得して受信周波数を設定しているが、このシステムでは、図１における再送信設備２の周波数変換回路２３Ａ、２３Ｂ、２３Ｃ、... で、必要に応じて周波数変換が行われており、伝送路３を介して送られてくるチャンネルの周波数と、ＮＩＴの周波数情報とが一致しないことがある。ここで、ＮＩＴから得られる周波数情報と、伝送路３を介して送られてくる伝送チャンネルの周波数との対応関係を示す周波数変換テーブルが作成される。
【００４５】
この周波数変換テーブルは、周波数サーチモードにおいて、以下のようにして作成される。
【００４６】
図６は、周波数変換テーブルの生成を示す概念図である。図６Ａに示すように、国内の地上波ディジタル放送で使用されたチャンネルを含む、ＶＨＦ、ＵＨＦ帯の全てのチャンネル情報が登録されている周波数テーブルが用意される。
【００４７】
周波数サーチモードに設定されると、図６Ａに示す周波数テーブルに登録されている周波数に基づいて、例えば低い方の周波数から高い方の周波数の順に、コントローラ６１からチューナ回路５２に選局データが送られる。
【００４８】
そして、設定された周波数で信号が受信できるか否かが判断され、信号が受信できたら、受信信号からＮＩＴが取得され、チューナ回路５２にそのとき設定されている周波数と、ＮＩＴから得られる周波数情報との対応関係に基づいて、周波数変換テーブルが生成される。
【００４９】
例えば、図６Ａで、チューナ回路５２に「Ｊ３ｃｈ」の周波数１０５ＭＨｚの周波数に設定したとき、図７Ｂに示すように、ＮＩＴの情報からは、３３３ＭＨｚの周波数情報が取得されたとする。この場合には、図７Ｃに示すように、ＮＩＴの周波数情報が３３３ＭＨｚなら、チューナ回路の５２の受信周波数を１０５ＭＨｚに設定することを示す周波数変換テーブルが作成される。
【００５０】
受信モードで、受信装置３１Ａ、３１Ｂ、３１Ｃ、... により所望のチャンネルに選局する方法としては、（ａ）現状の地上アナログ放送の受信と同様に、リモコンの選局ボタンに対応して受信周波数を適当に割り当てる方法、（ｂ）ＣＳディジタル放送の受信方法と同様にリモコンでサービスＩＤを入力する方法、とが考えられる。
【００５１】
（ａ）の方法では、周波数サーチモードで、上述のように周波数変換テーブルが生成された後に、変換後の周波数情報で、リモコンの選局ボタン番号がチューナに設定される受信周波数に対応される。
【００５２】
例えば、選局ボタン「８」は、周波数１０５ＭＨｚに設定しておき、選局ボタンにより選局することで、そのチャンネルの信号が受信できる。そして、デフォルトのサービスＩＤを決めておくことで、番組を表示することができる。デフォルトのサービスＩＤは、例えば、最後に視聴した番組のサービスＩＤを記憶しておく方法や、その受信チャンネルの中で最もサービスＩＤの番号の小さい番組を選ぶようにすることが考えられる。
【００５３】
その受信チャンネル内で他のサービスＩＤの番組を受信する場合には、周波数変換テーブルを用いて、対応するＮＩＴテーブルを参照し、対応するＮＩＴテーブルからサービス記述子を取得する。例えば、受信周波数が周波数１０５ＭＨｚなら、図６Ｃに示す変換テーブルにより、３３３ＭＨｚのＮＩＴ周波数情報を参照する。図６Ｂに示すように、この３３３ＭＨｚのＮＩＴテーブルから、サービス記述子が取得される。
【００５４】
（ｂ）の方法では、既存のディジタルＣＳ放送の受信機と同様に、入力されたサービスＩＤを含むチャンネルをＮＩＴテーブルから検索し、そのサービスＩＤを含むチャンネル周波数を分配記述子より取得する。そして、図６Ｃに示す周波数変換テーブルにより、ＮＩＴで示される周波数を、対応する伝送チャンネルの周波数に変換して、それを基に選局データをチューナで送出することで、希望する番組の受信が可能になる。
【００５５】
図７は、周波数サーチモードでの処理を示すフローチャートである。周波数サーチモードに設定されると、周波数テーブル（図６Ａ）に登録されている周波数に基づいて、例えば低い方の周波数から高い方の周波数の順に、コントローラ６１からチューナ回路５２に選局データが送られ、チューナ回路５２では、この選局データに基づいて周波数が設定される（ステップＳ１）。
【００５６】
チューナ回路５２では、設定された周波数で信号が受信できるか否かが試みられる。チューナ回路５２で信号が受信できた場合には、フロントエンド部５１から、Ｆ／Ｅロック信号が取得できる。Ｆ／Ｅロック信号は、復調回路、誤り訂正回路が正しく動作し、正しくトランスポートストリームが出力されたことを示すフラグである。したがって、設定された周波数で信号が受信できるか否かは、フロントエンド部５１からＦ／Ｅロック信号が取得できるか否かにより判断できる（ステップＳ２）。ステップＳ２で、Ｆ／Ｅロック信号が受信できなければ、ステップＳ１にリターンされ、周波数テーブルに基づいて次の周波数に設定されて、ステップＳ２で、設定された周波数でＦ／Ｅロック信号が取得できるか否かが判断される。
【００５７】
ステップＳ２で、Ｆ／Ｅロック信号が受信できた場合には、ＮＩＴが取得できるか否かが判断される（ステップＳ３）。Ｆ／Ｅロック信号が受信できた場合には、フロントエンド部５１からトランスポートストリームが出力されていることになるので、ＮＩＴが取得できる。ＮＩＴが取得できない場合には、トランスポートストリームが正しく出力されていない、又はトランスポートストリーム中に放送データが含まれていないので、この場合には、ステップＳ１にリターンされる。
【００５８】
ステップＳ３でＮＩＴが取得されたら、ＮＩＴ中の分配記述子を参照して、ＮＩＴの周波数情報が取得される（ステップＳ４）。
【００５９】
このとき、チューナ回路５２に設定されている受信周波数と、ステップＳ４で得られたＮＩＴの周波数情報とが対応付けられ、周波数変換テーブルが生成される（ステップＳ５）。
【００６０】
そして、全ての周波数をサーチしたか否かが判断され（ステップＳ６）、全ての周波数をサーチしていなければ、ステップＳ１にリターンされ、次の周波数に設定して、同様の処理が繰り返される。全てのチャンネルの周波数のサーチが終了したら、周波数サーチモードが終了される。
【００６１】
このようにして、周波数サーチモードで、ＮＩＴで示される周波数と、伝送チャンネルの周波数との対応関係を示す周波数変換テーブルが作成される。
【００６２】
図８は、受信モードのときの動作を示すフローチャートである。この例は、ＣＳディジタル放送の受信方法と同様にリモコンでサービスＩＤを入力して、チャンネルを設定する場合の例である。
【００６３】
図８において、「Ｍ」チャンネルのサービスＩＤを受信するための入力が与えられたら、ＮＩＴのテーブルから、そのサービスＩＤを含むチャンネルがサーチされる（ステップＳ１１）。そのサービスＩＤを含むチャンネルがあるか否かが判断され（ステップＳ１２）、そのサービスＩＤを含むチャンネルがなければ、受信不可の表示がなされる（ステップＳ１３）。
【００６４】
ステップＳ１２で、そのサービスＩＤを含むチャンネルがあれば、周波数変換テーブルが参照されて、ＮＩＴで示される周波数がそれに対応する伝送チャンネルの周波数に変換される（ステップＳ１４）。そして、この周波数に基づいて、チューナ回路５２の受信周波数が設定される（ステップＳ１５）。
【００６５】
それから、ＰＡＴのパケットが取得される（ステップＳ１６）。ＰＡＴには、それぞれの周波数内のチャンネル情報と、各チャンネルの中身を示すＰＭＴのＰＩＤが記述されている。このＰＡＴの情報から、チャンネル「Ｍ」に対応するＰＩＤが認識される（ステップＳ１７）。そして、認識されたＰＩＤのビデオパケット及びオーディオパケットが分離される（ステップＳ１８）。これにより、所望の「Ｍ」チャンネルの受信がなされる。
【００６６】
このように、この発明が適用されたシステムでは、地上波ディジタル放送の信号は、再送信設備２で、周波数のみ必要に応じて変換されて、伝送路３を介して、各家庭の受信設備４Ａ、４Ｂ、４Ｃ、... に送られる。各家庭の受信装置３１Ａ、３１Ｂ、３１Ｃ、... には、ＮＩＴの周波数と伝送路を介して送られてくる信号の周波数との対応関係を示す変換テーブルが設けられる。この変換テーブルに基づいて、受信周波数が設定される。このため、再送信設備２では、ＮＩＴの変更処理を行う必要はなく、ＯＦＤＭの復調回路や変調回路は不要である。また、各家庭の受信設備４Ａ、４Ｂ、４Ｃ、... は、ＮＩＴの周波数と伝送路を介して送られてくる信号の周波数との対応関係を示す変換テーブルを設ける以外は、通常のディジタル地上波放送受信用のものを用いることができる。
【００６７】
なお、この例では、ディジタル地上波放送の変調方式としてＯＦＤＭを使っているが、他の変調方式の場合にも、同様に適用できる。
【００６８】
【発明の効果】
この発明によれば、地上波ディジタル放送の信号は、再送信設備で、周波数のみ必要に応じて変換されて、伝送路を介して、各家庭の受信設備に送られ、各家庭の受信機には、ＮＩＴの周波数と伝送路を介して送られてくる信号の周波数との対応関係を示す変換テーブルが設けられる。この変換テーブルに基づいて、受信周波数が設定される。
【００６９】
このため、再送信設備では、ＮＩＴの変更処理を行う必要はなく、ＯＦＤＭの復調回路や変調回路は不要である。
【００７０】
また、各家庭の受信設備は、ＮＩＴの周波数と伝送路を介して送られてくる信号の周波数との対応関係を示す変換テーブルを設ける以外は、通常のディジタル地上波放送受信用のものを用いることができ、専用の受信機を必要としない。
【００７１】
ＮＩＴの周波数と伝送路を介して送られてくる信号の周波数との対応関係を示す変換テーブルは、初期設定時に周波数サーチモードで作成され、ソフトウェアで簡単に実現することができると共に、変換テーブルは一度作成された後には、後には作成は不要であるから、受信者に混乱を与えることはない。
【００７２】
そして、チャンネルを設定すると、この変換テーブルに基づいて受信周波数が自動的に設定されるので、受信者は、通常のディジタル地上波放送を受信しているときと全く同様な操作で、所望のチャンネルの番組を受信することができる。
【図面の簡単な説明】
【図１】この発明が適用された送受信システムの一例のブロック図である。
【図２】この発明が適用された送受信システムにおける受信装置の一例のブロック図である。
【図３】ＮＩＴテーブルの説明に用いる略線図である。
【図４】ＮＩＴテーブルの説明に用いる略線図である。
【図５】ＮＩＴテーブルの説明に用いる略線図である。
【図６】周波数変換テーブルの説明に用いる略線図である。
【図７】この発明が適用された送受信システムにおける受信装置における周波数サーチモードの動作の説明に用いるフローチャートである。
【図８】この発明が適用された送受信システムにおける受信装置における受信動作の説明に用いるフローチャートである。
【符号の説明】
１・・・アンテナ，２３Ａ、２３Ｂ、２３Ｃ・・・周波数変換回路、３・・・伝送路３、４Ａ、４Ｂ、４Ｃ・・・受信設備、３１Ａ、３１Ｂ、３１Ｃ・・・受信装置、５３・・・ＯＦＤＭ復調回路、７６・・・ＳＲＡＭ
【図１】
0004538888.tif 000002
【図２】
0004538888.tif 000003
【図３】
0004538888.tif 000004
【図４】
0004538888.tif 000005
【図５】
0004538888.tif 000006
【図６】
0004538888.tif 000007
【図７】
0004538888.tif 000008
【図８】
0004538888.tif 000009